(57)【要約】【課題】内部構成部材の配置を効率的に行なって、カメラが本来有する機能を損なわずに小型化が実現可能なデジタルカメラを提供する。【解決手段】このデジタルカメラ１では、カメラ右側に配置され、ＣＣＤ基板９を有するレンズ鏡筒３に対してその背面側にＬＣＤ表示ユニット１１を配置し、さらに、左側に撮像基板１０を配置した状態でレンズ鏡筒まわりがユニット化されて組み立てられ、さらに、カメラの左側に電池室２４ａと、電気基板（Ａ），（Ｂ）６，７を配置し、カメラ中央上部にストロボ発光ユニット５を配置し、そのストロボ発光ユニット５の後方であって上記電池室２４ａと上記レンズ鏡筒３とに挟まれた縦長空間にストロボコンデンサ１４を収納するようにして、カメラが本来有する機能を損なうことなくデジタルカメラの小型化および薄型化を実現可能とする。【選択図】    図２
2004208228.tif 000002
【特許請求の範囲】
【請求項１】
被写体から見てカメラ右側に配置された撮影レンズ鏡筒と、
上記撮影レンズ鏡筒の被写体から見た左側の側面に、カメラ幅方向に垂直になるような向きで取り付けられた鏡筒側方電気基板と、
上記撮影レンズ鏡筒の背面に取り付けられた画像表示部と、
被写体から見てカメラ左側にその主平面がカメラ幅方向に沿うような向きで配置され、内部に電池格納空間を具えた電池室と、
カメラ幅方向の中央付近の前面上部に配置されたストロボ発光部と、
上記ストロボ発光部の後側にあって上記電気基板と上記電池室とで挟まれて形成された縦長空間に、当該縦長方向に長手方向を一致させる向きで配置されたストロボコンデンサと、
を備えたことを特徴とするデジタルカメラ。
【請求項２】
上記電池室の前側にカメラ幅方向に沿うような向きに取り付けられ、上記ストロボコンデンサの前側を覆うように配置され、一端が上記鏡筒側方電気基板の基板面に近接するような電池室前側電気基板を備えたことを特徴とする請求項１記載のデジタルカメラ。
【請求項３】
撮影レンズ及び撮像素子を内蔵した撮影レンズ鏡筒と、
上記撮影レンズ鏡筒前側の１側面に当該撮影レンズ鏡筒側面より少なくとも一部が突出するように取付けられた、上記撮影レンズを移動させるためのレンズ駆動部と、
上記撮影レンズ鏡筒背面側に、上記撮影レンズ鏡筒背面に平行な向きで、かつその一部分が上記撮影レンズ鏡筒背面より上記レンズ駆動部が突出した方向と同じ側面方向にはみ出すように配置された画像表示部と、
上記レンズ駆動部と上記画像表示部のはみ出した部分に挟まれた上記撮影レンズ鏡筒の側面にあって、上記レンズ鏡筒の側面に沿って配置された撮像基板と、
を備えたことを特徴とするデジタルカメラ。
【請求項４】
上記画像表示部と上記レンズ鏡筒の背面の間に、さらに、上記画像表示部と平行に、上記撮像素子が実装された撮像素子基板を取り付けたことを特徴とする請求項３記載にデジタルカメラ。
【請求項５】
撮像素子が実装された電気基板と、
上記撮像素子へ被写体像を結像させる撮影レンズを内蔵した撮影レンズ鏡筒と、
上記撮像素子により得られた画像信号に基づく画像が表示される画像表示部と、
を備え、上記撮影レンズ鏡筒の背面に上記電気基板を取り付け、さらに、上記電気基板を覆い、かつ、上記電気基板に平行に上記画像表示部を取り付けて一体化させたことを特徴とするデジタルカメラ用のレンズ鏡筒ユニット。
【発明の詳細な説明】
【０００１】
【発明の属する技術分野】
本発明は、デジタルカメラの内部レイアウト及び構造に関するものである。
【０００２】
【従来の技術】
従来からデジタルカメラは、携帯性の点から外形サイズを小型化することが常に要求されている。その小型化に関して提案された特許文献１記載のカメラは、カメラ横方向（左右方向）にてカメラ左端側（被写体側から見て）から順に、電池、ストロボコンデンサ、メイン基板、撮影レンズをそれぞれ配置したレイアウトを有している。
【０００３】
また、特許文献２記載のカメラは、カメラ横方向（左右方向）にてカメラ左端側（被写体側から見て）に電池を配置し、カメラの中央部に撮影レンズを配置し、さらに、カメラ右端側にストロボコンデンサを配置したレイアウトを有している。
【０００４】
【特許文献１】
上記特許文献１は、特許公開公報平１１−８７８６号である。
【０００５】
【特許文献２】
上記特許文献２は、特許公開公報平１１−２６６３７７号である。
【０００６】
【発明が解決しようとする課題】
上述した特許文献１、または、２に記載のカメラにおけるレイアウトは、小型化を実現可能な配置を有しているが、カメラが本来有している機能を損なわず、しかも、カメラ内部の各構成部材のより効率的な配置に対して、必ずしも満足のゆくレイアウトとはいえない。
【０００７】
本発明は、上述した点に鑑みてなされたものであって、その目的とするところは、デジタルカメラにおける内部構成部材の配置を効率的に行なって、カメラが本来有する機能を損なわずに小型化が実現可能なデジタルカメラ、および、デジタルカメラ用のレンズ鏡筒ユニットを提供するにある。
【０００８】
【課題を解決するための手段】
本発明の請求項１記載のデジタルカメラは、被写体から見てカメラ右側に配置された撮影レンズ鏡筒と、上記撮影レンズ鏡筒の被写体から見た左側の側面に、カメラ幅方向に垂直になるような向きで取り付けられた鏡筒側方電気基板と、上記撮影レンズ鏡筒の背面に取り付けられた画像表示部と、被写体から見てカメラ左側にその主平面がカメラ幅方向に沿うような向きで配置され、内部に電池格納空間を具えた電池室と、カメラ幅方向の中央付近の前面上部に配置されたストロボ発光部と、上記ストロボ発光部の後側にあって上記電気基板と上記電池室とで挟まれて形成された縦長空間に、当該縦長方向に長手方向を一致させる向きで配置されたストロボコンデンサとを備えている。
【０００９】
本発明の請求項２記載のデジタルカメラは、請求項１記載のデジタルカメラにおいて、上記電池室の前側にカメラ幅方向に沿うような向きに取り付けられ、上記ストロボコンデンサの前側を覆うように配置され、一端が上記鏡筒側方電気基板の基板面に近接するような電池室前側電気基板を備えている。
【００１０】
本発明の請求項３記載のデジタルカメラは、撮影レンズ及び撮像素子を内蔵した撮影レンズ鏡筒と、上記撮影レンズ鏡筒前側の１側面に当該撮影レンズ鏡筒側面より少なくとも一部が突出するように取付けられた、上記撮影レンズを移動させるためのレンズ駆動部と、上記撮影レンズ鏡筒背面側に、上記撮影レンズ鏡筒背面に平行な向きで、かつその一部分が上記撮影レンズ鏡筒背面より上記レンズ駆動部が突出した方向と同じ側面方向にはみ出すように配置された画像表示部と、上記レンズ駆動部と上記画像表示部のはみ出した部分に挟まれた上記撮影レンズ鏡筒の側面にあって、上記レンズ鏡筒の側面に沿って配置された撮像基板とを備えている。
【００１１】
本発明の請求項４記載のデジタルカメラは、請求項３記載のデジタルカメラにおいて、上記画像表示部と上記レンズ鏡筒の背面の間に、さらに、上記画像表示部と平行に、上記撮像素子が実装された撮像素子基板が取り付けられる。
【００１２】
本発明の請求項５記載のデジタルカメラ用のレンズ鏡筒ユニットは、撮像素子が実装された電気基板と、上記撮像素子へ被写体像を結像させる撮影レンズを内蔵した撮影レンズ鏡筒と、上記撮像素子により得られた画像信号に基づく画像が表示される画像表示部とを備え、上記撮影レンズ鏡筒の背面に上記電気基板を取り付け、さらに、上記電気基板を覆い、かつ、上記電気基板に平行に上記画像表示部を取り付けて一体化させる。
【００１３】
【発明の実施の形態】
以下、本発明の実施の形態を図に基づいて説明する。
図１は、本発明の一実施形態のデジタルカメラの外観を示す斜視図である。図２，３は、上記デジタルカメラの内部の配置を示す透視図であって、図２は、被写体側から見た図であり、図３は、上方から見た図である。図４は、上記デジタルカメラの分解斜視図であり、図５は、上記デジタルカメラのレンズ鏡筒まわり組み立てユニットの分解斜視図である。
【００１４】
なお、本実施形態のデジタルカメラの配置に説明において、カメラ幅方向である左右方向（図中のＸ方向）は、カメラの被写体側から見た左右方向で示すものとする。前後方向（図中のＺ方向、すなわち、撮影レンズ光軸Ｏに沿う方向）は、被写体側を前方、反被写体側を後方、または、背面側とする。上下方向（図中のＹ方向）は、カメラを通常状態でホールドしたときの上下方向で示すものとする。
【００１５】
本実施形態のデジタルカメラ（以下、カメラと記載する）１のカメラ外装２は、前カバーユニット２Ａと、中カバーユニット２Ｂと、後カバーユニット２Ｃと、コネクタ蓋２７と、図示しない電池蓋とからなる。
【００１６】
上記前カバーユニット２Ａの前面開口部には、沈胴可能な撮影レンズ鏡筒３が配置されている。その撮影レンズ鏡筒３の撮影レンズ４３の前面を開閉するレンズバリア１５が前カバーユニット２Ａの前面部に左右方向にスライド自在に取り付けられている。上記レンズバリア１５の開閉は、撮影レンズ４３が沈胴位置にあるときに行われる。なお、以下、撮影レンズ鏡筒はレンズ鏡筒と記載する。
【００１７】
上記中カバーユニット２Ｂの上面部には、レリーズスイッチ操作釦５１が配置されている。
【００１８】
上記後カバーユニット２Ｃの背面部には、ファインダ接眼窓部２５ａと、ＬＣＤ表示窓部２５ｂと、スイッチ操作釦群５４，５５等が配置されている。また、その底面部には、開閉可能な電池蓋（図示せず）が配置されている。
【００１９】
さらに、後カバーユニット２Ｃの左方端部には、上記コネクタ蓋２７が開閉回動自在に支持されており、このコネクタ蓋２７により外部コネクタ端子部であるビデオ出力端子部６４やＵＳＢ端子部６５、さらに、メモリカード（記録媒体）挿入用カードスロット６３のカード開口部が開閉される。
【００２０】
次に、本実施形態のカメラ１の構成を図４を用いて説明する。
本カメラ１は、上述したカメラ外装２としての上記前カバーユニット２Ａ，中カバーユニット２Ｂ，後カバーユニット２Ｃ，コネクタ蓋２７（図示せず），電池蓋（図示せず）と、上記カメラ外装２内に組み込まれる主な構成部材としてレンズ鏡筒３，ＬＣＤ表示ユニット１１を含むレンズ鏡筒ユニットとしてのレンズ鏡筒まわり組み立てユニット７０と、ストロボ発光管４９を内蔵するストロボ発光ユニット５と、ファインダ光学系を内蔵するファインダユニット４と、電気基板（Ａ），（Ｂ），（Ｃ）６，７，８と、電源用電池１２を収納する電池室２４ａが設けられる中枠２４と、ストロボ発光のための電荷チャージ用のストロボコンデンサ１４と、レリーズスイッチ操作釦５１と、さらに、操作スイッチ基板５３等を有してなる。
【００２１】
上記前カバーユニット２Ａは、カメラの前面側の外装であり、金属（アルミニウム等）薄板製の外装部を形成する前カバー板２１と、前カバー板２１の内部に接着固定される合成樹脂製の組み付け用前カバー枠２２とからなる。
【００２２】
同様に上記中カバーユニット２Ｂは、カメラの中央部分の外装であり、金属（アルミニウム等）薄板製の外装部を形成する中カバー板２３からなる。
【００２３】
さらに同様に上記後カバーユニット２Ｃは、カメラの後面側の外装であり、金属（アルミニウム等）薄板製の外装部を形成する後カバー板２５と、後カバー板２５の内部に接着固定される合成樹脂製の組み付け用後カバー枠２６とからなる。
【００２４】
上記前カバー枠２２と、後カバー枠２６とは、図示しないビスを挿通させ、螺着することにより結合され、上記前カバー板２１、中カバー板２３、後カバー板２５により本カメラ１の外装が形成される。
【００２５】
上記前カバー板２１には、中央上方部にストロボ発光窓３３と、ファインダ窓３２と、セルフタイマＬＥＤ窓３４が配され、中央下方部にリモートコントロール用窓３５が配され、さらに、左方開口部に撮影レンズ用開口部３１ａを有する前リング３１が接着固定される。また、前カバー枠２２には前カバー板２１の上下位置に左右方向に延びるバリアガイド溝２２ａが設けられる。
【００２６】
上記バリアガイド溝２２ａには、レンズバリア１５がスライド自在に嵌入して取り付けられる。上記レンズバリア１５は、撮影レンズ用開口部３１ａとストロボ発光窓３３等を閉鎖する閉位置（右方位置）と開放する開位置（左方位置）にスライド操作が可能である。
【００２７】
上記前リング３１は、外周右側端部に閉位置にあるレンズバリア１５の先端部が当接可能なバリア当接突起３１ｂが設けられており、閉鎖位置にあるレンズバリア１５が押圧されたとき、レンズバリア１５の先端が上記突起３１ｂに当接することにより前カバー板２１の変形が防止される。
【００２８】
上記前カバー板２１のファインダ窓３２の後方位置にファインダ光学系を内蔵するファインダユニット４が配置される。
【００２９】
上記前カバー板２１のストロボ発光窓３３の後方位置にストロボ発光管４９を内蔵するストロボ発光ユニット５が配置される。
【００３０】
上記中カバー板２３には、レリーズ釦用開口部２３ａとＤＣ端子用切り欠き部２３ｂが設けられる。レリーズ釦用開口部２３ａには、レリーズスイッチ操作用レリーズ釦５１が挿入される。
【００３１】
上記中枠２４には、左方位置に電池格納空間を備え、かつ、下方開口を有する電源用電池１２が挿入可能な電池室２４ａが設けられ、さらに、その上部に右方突出部が形成されており、その突出部端に後述するユニット取り付け板４８の固定用ビス挿通穴２４ｂが設けられ、同様に中枠２４の背面部には、ユニット取り付け板４８の固定用ビス挿通穴（図示せず）が設けられる。また、中枠２４の右側、かつ、上記右方突出部の下側のスペ−スには、ストロボコンデンサ１４を上下方向に沿って収納できる縦長のスペ−スが形成されている。
【００３２】
上記後カバー板２５の背面部には、ファインダ接眼窓部２５ａと、ＬＣＤ窓部５２と、ズームスイッチ釦群５４およびモード設定釦群５５が配置され、さらに、後カバー板２５の内部には、上記ズームスイッチ釦群５４およびモード設定釦群５５により操作される操作スイッチ基板５３が配置される。
【００３３】
上記後カバー枠２６には、左方下部にＤＣ−ＩＮ端子用開口部２６ａと、底面部に開閉可能な電池蓋（図示せず）を有する電池挿入用開口部２６ｂが設けられる。
【００３４】
上記電気基板（Ａ）６は、主に電源回路部が実装されている。
【００３５】
上記電気基板（Ｂ）７は、電池室前側基板としてのメイン制御基板であって、画像処理回路や各種の制御回路部が実装されており、さらに、ビデオ出力コネクタ端子６４とＵＳＢコネクタ端子部６５が撮像基板１０側との接続用コネクタ６１とメモリカードが装着可能なカードスロット６３等が実装されている。上記カードスロット６３は、後カバー枠２６の左端面のカード開口部内側に位置している。上記端子部６４，６５は、後カバー枠２６の左端面の端子開口部内側に位置している。
【００３６】
上記電気基板（Ｃ）８は、主にストロボ制御回路部やストロボコンデンサ１４が実装されており、さらに、ＤＣコネクタ端子６６が実装されている。上記端子６６は、後カバー枠２６の右端面のＤＣ端子開口部２６ａ内側に位置している。
【００３７】
上記電気基板（Ａ），（Ｂ）６，７は、中枠２４の前方側に所定距離離間させて固定支持され、上記電気基板（Ｃ）８は、中枠２４の右側に突出した状態で固定支持される。そして、後述するようにカメラ組み立て状態では、電気基板（Ａ），（Ｂ）６，７が電池室２４aの前側でレンズ鏡筒３の左方側、また、電気基板（Ｃ）８がレンズ鏡筒３の下側にそれぞれ配置される。
【００３８】
上記レンズ鏡筒まわり組み立てユニット７０は、図４，５に示すようにレンズ鏡筒３と、鏡筒側方電気基板としての撮像基板１０と、レンズ駆動部１３と、画像表示部であるＬＣＤ表示ユニット１１と、ユニット取り付け板４８とを有してなり、１つのユニットとして組み立てられる。
【００３９】
上記レンズ鏡筒３は、外周に防水用パッキン４４が装着された固定枠４１と、固定枠４１に光軸Ｏ方向に進退移動可能に支持され、撮影レンズ４３を保持する移動枠４２と、鏡筒内部の撮影レンズ４３の結像面位置にＣＣＤ４６が実装されている撮像素子基板としてのＣＣＤ基板９とを有してなる。
【００４０】
上記ＣＣＤ基板９は、上記固定枠４１の背面（レンズ鏡筒背面）上にその主平面（最も広い面，、または、機能上主要な面）を光軸Ｏに直交させた状態で固定支持され、鏡筒内面側の撮影レンズ４３の結像面位置に撮像素子であるＣＣＤ４６が実装されている。さらに、ＣＣＤ基板９の鏡筒外面側には撮像回路の一部が実装されている。
【００４１】
上記レンズ駆動部１３は、上記固定枠４１の前方側左方向に突出した状態で配置され、内部にギヤ列等の駆動力伝達部を内蔵し、下方位置にはレンズ駆動源となる駆動モータ４５が設けられていて、移動枠４２を移動させ、沈胴動作、および、ズーム調整を行わせる。
【００４２】
ユニット取り付け板４８は、ＣＣＤ基板９のための逃げ開口部４８ａと、その周囲に配されるビス挿通穴４８ｂと、上方折り曲げ突出部に配置されるビスネジ穴４８ｃと、下部左方突出部に配されるビスネジ穴４８ｄと、下部右側折り返し突出部に配されるビスネジ穴４８ｅとが設けられる金属板製の取り付け板である。このユニット取り付け板４８は、固定枠４１の光軸Ｏと直交する背面に配されるビスネジ穴４１ｂにビス挿通穴４８ｂを介してビスを螺着することによって固定枠４１の背面上に固定される。
【００４３】
上記ＬＣＤ表示ユニット１１は、撮影画像、または、各種情報データを表示するＬＣＤを有しており、ＬＣＤ表示面を光軸Ｏと直交し、背面側に向けた状態で上記ユニット取り付け板４８の背面に両面接着テープで貼り付け、固定される。上記固定状態でＬＣＤ表示ユニット１１は、その一部分がレンズ鏡筒３の固定枠４１の背面側方にはみ出した状態となる。
【００４４】
上記撮像基板１０は、上記撮像回路の他の一部、および、電気基板（Ｂ）との接続用コネクタ６２が実装されており、上記ＣＣＤ基板９とフレキシブルプリント基板４７を介して接続される。この撮像基板１０は、上記レンズ駆動部１３の突出部分とＬＣＤ表示ユニット１１の上記固定枠４１の左方側突出部とに挟まれたスペ−スに位置し、その基板主平面が光軸Ｏと平行、かつ、基板長手方向が縦方向（上下方向）に沿った状態で固定枠４１に固定支持される。
【００４５】
上述したようにレンズ鏡筒まわり組み立てユニット７０は、レンズ駆動部１３，ＣＣＤ基板９等が装着されたレンズ鏡筒３の固定枠４１に対して撮像基板１０，ユニット取り付け板４８，ＬＣＤ表示ユニット１１が組み付けられ、ユニット化される。
【００４６】
上述したカメラ１の上記各構成部材をカメラ１のカメラ外装２内への組み込む場合、図４等に示すように、まず、前カバーユニット２Ａの内面部にストロボ発光ユニット５を接着固定し、さらに、レンズバリア１５をガイド溝２２ａに挿入し、スライド自在に取り付けた状態とする。
【００４７】
また、上記電気基板（Ａ），（Ｂ），（Ｃ）６，７，８が固定支持されており、上記中枠２４にユニット取り付け板４８を介して上記ユニット化されたレンズ鏡筒まわり組み立てユニット７０を取り付け、カメラ内蔵ブロックとして組み立てる。すなわち、ビスを中枠２４のビス挿通穴２４ｂおよび図示しない他のビス挿通穴に挿通させ、上記ユニット取り付け板４８の上方折り曲げ突出部のビスネジ穴４８ｃ、および、下部左方突出部のビス挿通穴４８ｄにそれぞれにビスを螺着することによって、中枠２４とレンズ鏡筒まわり組み立てユニット７０とが一体化される。そして、電気基板（Ｃ）８のＤＣ端子側に設けられるビス挿通穴８ａに挿通させたビスをユニット取り付け板４８のビスネジ穴４８ｅに螺着して、電気基板（Ｃ）８の先端部をユニット取り付け板４８に固定する。また、撮像基板１０の接続コネクタ６２を電気基板（Ｂ）７の接続コネクタ６１に接続する。さらに、上記レンズ鏡筒３の固定枠４１の上方部にファインダユニットを取り付け、固定支持する。
【００４８】
上記レンズ鏡筒まわり組み立てユニット７０および各電気基板等からなるカメラ内蔵ブロックを前カバーユニット２Ａと後カバーユニット２Ｃの内側に挟持した状態で覆い、図示しないビスを後カバー枠２６を挿通させ、前カバー枠２２のビスネジ穴（図示せず）に螺着することによってカメラ１として完成する。
【００４９】
上記カメラ組み立て状態において、レンズ鏡筒３の固定枠４１の前端部は、前カバーユニット２Ａに装着されている前リング３１の内周部に嵌合して取り付けられるが、その嵌合状態で固定枠４１の外周に設けられるパッキン４４は、前リング３１の内周面にＵ字断面形状に変形して挿入され、レンズ鏡筒３と前カバーユニット２Ａ間の嵌合隙間の防水がなされる。上記挿入されたレンズ鏡筒３の移動枠４２は、前リング３１の撮影レンズ用開口部３１ａに図示しない防水用パッキンを介して嵌入し、撮影不可能な沈胴位置から前方に突出する撮影可能な位置の間を進退可能となる。さらに、移動枠４２が上記沈胴位置にあるとき、上記移動枠４２および撮影レンズ４３の前面は、レンズバリア１５により覆われる。レンズバリア１５は、上記移動枠４２および撮影レンズ４３の前面から退避する開放位置にスライド移動されると、移動枠４２は、自動的に上記撮影可能位置に繰り出される。上記レンズバリア１５が撮影レンズ４３の前面を覆う閉鎖位置にあるとき、レンズバリア１５が使用者によって押圧された場合、レンズバリア１５の先端部が前リング３１の突出部３１ｂに当接するので金属薄板製の前カバー板２１が変形することが避けられる。
【００５０】
ここで、上記組み立て状態にあるカメラ１の内部の各構成部材の配設位置関係について、図２，３等を用いて説明する。
本実施形態のカメラ１において、レンズ鏡筒３は、カメラ外装２のＸ方向（カメラ幅方向）右側位置に配置される。ＣＣＤ基板９に接続される撮像基板１０は、上記レンズ鏡筒３の左側の側面にて光軸Ｏの側方にてＸ方向に垂直な方向に沿って配置される。ＬＣＤ表示ユニット１１は、レンズ鏡筒３の背面部にその表示面が光軸Ｏと直交する方向の沿った状態で配置される。電池１２を格納する電池室２４ａは、その主平面がＸ方向に沿った左状態でＸ方向の左側に配置される。ストロボ発光ユニット５は、Ｘ方向の略中央の上部位置に配置される。ストロボコンデンサ１４は、上記ストロボ発光ユニット５の後側位置であって、上記電池室２４ａと上記撮像基板１０によって挟まれる縦長の空間にコンデンサの長手方向を縦長方向に合わせた状態で配置される。さらに、電池室外側電気基板である電気基板（Ｂ）７は、上記電池室２４ａの前面側であり、上記ストロボコンデンサ１４の背面を覆うような状態でその主平面がＸ方向に沿っており、かつ、その右側先端部が上記撮像基板１０に接近した状態で配置される。
【００５１】
なお、上記ＬＣＤ表示ユニット１１は、レンズ鏡筒３の固定枠４１に対してその背面部にて左方向，右方向にはみ出すように突出する状態で支持されている。また、レンズ鏡筒３の背面部には、ＣＣＤ４６が実装されたＣＣＤ基板９が配置されているが、そのＣＣＤ基板９の主平面は、上記ＬＣＤ表示ユニット１１と平行な方向に沿って支持されている。上記ＬＣＤ表示ユニット１１の左方突出部と、固定枠４１の前方の左側に突出して配置されるレンズ駆動部１３とに挟まれた空間に上記撮像基板１０が位置している。
【００５２】
また、ストロボ発光ユニット５の発光部およびファインダユニット４の対物窓部は、それぞれ前カバー板２１のストロボ窓部３３およびファインダ窓部３２の内部後方に位置する。また、電気基板（Ｂ）７にビデオ出力端子部６４やＵＳＢ端子部６５やカードスロット６３に対応する各開口部は、コネクタ蓋２７により同時に開閉される。電気基板（Ｃ）に実装されるＤＣ−ＩＮ端子６６は、後カバー枠２６のＤＣ−ＩＮ端子用開口部２６ａの内方に位置する。さらに、上記電池１２は、後カバー枠２６の底面部の電池室開口２６ｂより電池室２４ａに装填可能である。
【００５３】
以上、説明したような構成と配置を有する本実施形態のカメラ１により撮影を行う場合は、まず、電池１２を電池室２４ａに装填し、カードスロット６３にメモリカードを装着する。そこで、レンズバリア１５を左方向に向けてスライド移動させ、撮影レンズ４３の前面を開放させると、移動枠４２が撮影可能位置に繰り出される。その繰り出し状態でレリーズスイッチ操作釦５１を押圧すると、被写体像の電気信号がＣＣＤ４６にて生成され、画像処理された被写体像画像データが上記メモリカードに記録される。
【００５４】
上述したように各構成部材が配置された本実施形態のデジタルカメラ１では、カメラ右側に配置され、ＣＣＤ基板９を有するレンズ鏡筒３に対してその背面側にＬＣＤ表示ユニット１１を配置し、さらに、左側に撮像基板１０を配置し、ユニット化した状態でレンズ鏡筒まわり組み立てユニット７０が組み立てられる。したがって、カメラのコンパクト化、特に薄型化に寄与すると同時にカメラの組み立て作業が容易となる。さらに、カメラの左側に電池室２４ａと、電気基板（Ａ），（Ｂ）６，７を配置し、カメラ中央上部にストロボ発光ユニット５を配置して、上記ストロボ発光ユニット５の後方であって上記電池室２４ａと上記レンズ鏡筒３とに挟まれた縦長空間にストロボコンデンサ１４を収納するようにしたので、このデジタルカメラ１によると、カメラが本来有する機能を損なうことなくカメラの小型化および薄型化が可能になり、携帯性のよい使い勝手の優れたデジタルカメラを提供できる。
【００５５】
【発明の効果】
上述のように本発明によれば、構成部材のユニット化を行って組み立てを容易にし、さらに、内部構成部材の配置を効率的に行なって、カメラが本来有する機能を損なわないで小型化を実現したデジタルカメラ、または、デジタルカメラ用のレンズ鏡筒ユニットを提供できる。
【図面の簡単な説明】
【図１】本発明の一実施形態のデジタルカメラの外観を示す斜視図である。
【図２】上記図１のデジタルカメラの内部の配置を示す透視図であって、被写体側から見た図である。
【図３】上記図１のデジタルカメラの内部の配置を示す透視図であって、上方から見た図である。
【図４】上記図１のデジタルカメラの分解斜視図である。
【図５】上記図１のデジタルカメラのレンズ鏡筒まわり組み立てユニットの分解斜視図である。
【符号の説明】
３  …レンズ鏡筒（撮影レンズ鏡筒）
５  …ストロボ発光ユニット
（ストロボ発光部）
７  …電気基板（Ｂ）
（電池室前側電気基板）
９  …ＣＣＤ基板
（撮像素子基板，
撮像素子が実装された基板）
１０  …撮像基板（鏡筒側方電気基板）
１１  …ＬＣＤ表示ユニット（画像表示部）
１３  …レンズ駆動部
１４  …ストロボコンデンサ
２４ａ…電池室
７０  …レンズ鏡筒まわり組み立てユニット
（レンズ鏡筒ユニット）
【図１】
2004208228.tif 000003
【図２】
2004208228.tif 000004
【図３】
2004208228.tif 000005
【図４】
2004208228.tif 000006
【図５】
2004208228.tif 000007